(57)【特許請求の範囲】
【請求項１】
ケース本体がほぼ正方形状に形成してあるテープカートリッジ用の収納ケースであって、
前記テープカートリッジのケース本体の上面には、テープドライブへの装填方向を示す装填表示が形成されており、
前記収納ケースは、四角形状の底壁を有する身部と、四角形状の上壁を有する蓋部とを一体に形成した角箱状のプラスチック成形品からなり、前記身部と蓋部とはヒンジ部を介して一体に繋がっており、
前記蓋部を開き揺動して、身部の上面を開放した状態で、テープカートリッジを身部に対して出し入れできるようになっており、
前記収納ケースの蓋部の上壁の外面に、前記テープカートリッジの上壁に設けられた装填表示と同様のケース表示が設けてあり、
前記テープカートリッジの装填表示が、前記蓋部の上壁の装填始端寄りに設けられた装填指標と、前記蓋部の上壁の装填終端寄りに設けられた滑り止め部とからなり、
前記蓋部の上壁の外面に、前記装填指標に対応する第１表示と、前記滑り止め部に対応する第２表示とが設けてあり、
前記蓋部の上壁の外面と前記身部の底壁の外面に、所定の積み重ね状態においてのみ互いに凹凸係合する前後非対称なスタック凹部及びスタック凸部が形成してあり、
前記第１表示と第２表示の少なくとも一方の外形線で、上壁の外面のスタック凹部またはスタック凸部の少なくとも一部が囲まれていることを特徴とするテープカートリッジ用の収納ケース。
【発明の詳細な説明】
【技術分野】
【０００１】
本発明は、コンピュータデータ等を記録するためのテープカートリッジ、とくにケース本体の縦横寸法が近似ないし一致していて、ほぼ正方形状に形成してあるテープカートリッジ用の収納ケースに関する。
【背景技術】
【０００２】
ケース本体の外郭線がほぼ正方形状に形成してあるテープカートリッジは、例えば特開平１１−２６５５６０号公報（特許文献１）にみることができる。そこでは、ケース本体の内部に１個のテープリールを収容しているだけであるので、ケース本体を平面から見た場合の外郭形状は、縦横寸法が僅かに違うだけのほぼ正方形状になっている。従って、テープカートリッジを収納するための収納ケースの外郭形状もほぼ正方形状になる。
【０００３】
【特許文献１】特開平１１−２６５５６０号公報
【発明の開示】
【発明が解決しようとする課題】
【０００４】
上記のような単リール型のテープカートリッジ用の収納ケースにおいては、テープカートリッジを収納ケースに対して、いずれの方向からでも差し込み装填できる。例えば、収納ケースに対するテープカートリッジの適正な装填方向が、テープカートリッジのテープドライブへの装填方向に一致させてある場合に、前後を逆にして、あるいは左右側面の側からテープカートリッジを収納ケースに支障なく装填でき、間違った装填姿勢であっても左程違和感は無い。このように、間違って装填された収納形態においては、テープカートリッジを収納ケースから取り出した場合に問題を生じる。例えば、収納ケースから抜き出した状態のテープカートリッジを、そのままテープドライブへ装填してしまうおそれがある。装填方向の間違いに気付いたとしても、テープカートリッジがほぼ正方形であるので、その正しい装填方向をとっさに判断できないことがある。
【０００５】
収納ケース自体がほぼ正方形状であるうえ、基準となる指標が無いので、複数の収納ケースを積重ねた場合に、収納ケースの姿勢と向きがばらばらになり、複数のテープカートリッジを重ねた状態のまま、まとめて保管し運搬するような場合に、収納ケースがずれ動いたり、落下して破損することがある。
【０００６】
本発明の目的は、テープカートリッジを収納ケースに装填する際に、使用者の注意力を喚起して、テープカートリッジを収納ケースに対して適正に収納でき、従って、収納ケースから取り出したテープカートリッジを、そのままテープドライブに装填するだけでよいテープカートリッジ用の収納ケース、とくに、正方形状に形成されるテープカートリッジを収納対象とする収納ケースを提供することにある。本発明の他の目的は、収納ケースを積重ねる場合に、その姿勢と向きを正しく揃えることができ、しかも、まとめて運搬するような場合に、収納ケースがずれ動いて落下するのをよく防止できる収納ケースを提供することにある。
【課題を解決するための手段】
【０００７】
本発明の収納ケースＣは、図１に示すように、ケース本体１がほぼ正方形状に形成してあるテープカートリッジＴを収納対象とする。このテープカートリッジＴのケース本体１の上面には、テープドライブへの装填方向を示す装填表示７を形成する。収納ケースＣは、四角形状の底壁１５を有する身部１２と、四角形状の上壁２０を有する蓋部１３とを一体に形成した角箱状のプラスチック成形品からなり、身部１２と蓋部１３とはヒンジ部１４を介して一体に繋がっている。身部１２は底壁１５を有し、蓋部１３は上壁２０を有する。蓋部１３を開き揺動して、身部１２の上面を開放した状態で、テープカートリッジＴを身部１２に対して出し入れできる。収納ケースの蓋部１３の上壁２０の外面に、テープカートリッジＴの上壁２０に設けられた装填表示７と同様のケース表示２７を設ける。テープカートリッジＴの装填表示７は、蓋部１３の上壁２０の装填始端寄りに設けられた装填指標８と、蓋部１３の上壁２０の装填終端寄りに設けられた滑り止め部９とからなる。蓋部１３の上壁２０の外面に、装填指標８に対応する第１表示２８と、滑り止め部９に対応する第２表示２９とを設ける。蓋部１３の上壁２０の外面と身部１２の底壁１５の外面に、所定の積み重ね状態においてのみ互いに凹凸係合する前後非対称なスタック凹部３１及びスタック凸部３２を形成する。そして、第１表示２８と第２表示２９の少なくとも一方の外形線で、上壁２０の外面のスタック凹部３１またはスタック凸部３２の少なくとも一部が囲まれていることを特徴とする。
【発明の効果】
【０００８】
収納ケースの上壁外面に、前記テープカートリッジの上壁に設けられた装填表示と同様のケース表示を設けるので、テープカートリッジを収納ケースに収納する際に、使用者は必然的に収納ケース側のケース表示を目にすることなる。従って、テープカートリッジの収納時に使用者の注意力を喚起して、適正な姿勢と向きで、テープカートリッジを収納ケースに装填できる。これに伴い、テープカートリッジの使用時には、収納ケースから取り出したテープカートリッジを、そのままテープドライブに装填するだけでよく、とくに、正方形状に形成されるテープカートリッジを収納するのに好適な収納ケースが得られる。
【０００９】
収納ケースの上壁外面と底壁外面に、互いに凹凸係合する関係のスタック凹部およびスタック凸部を形成し、これら両者を、所定の積み重ね状態においてのみ凹凸係合できるようにすると、複数の収納ケースを積み重ねたて運搬するような状態において、収納ケースがずれ動いたり、積層列から落下するのを確実に防止でき、その分だけ収納ケースの取り扱いを容易化できるうえ、収納ケースの破損事故の減少に寄与できる。
【００１０】
収納ケースの上壁外面に、テープカートリッジ側の装填指標に対応する第１表示と、滑り止め部に対応する第２表示とを設けた収納ケースによれば、前後に離れて設けられた第１・第２の両表示によって使用者の注意を促すことができるので、テープカートリッジの収納時に使用者の注意力をさらに効果的に喚起して、適正な姿勢と向きでテープカートリッジを収納ケースに収納できる。
【００１１】
収納ケースの上壁および底壁のそれぞれに、前後非対称のスタック凹部と前後非対称のスタック凸部を形成すると、積み重ねた収納ケースの左右の向きはもちろんのこと、前後の向きまで揃えない限りは、積み重ねた収納ケースが前後いずれかへはみ出るので、全ての収納ケースを正しく積み重ねることを促進し、その取り扱いを容易化できる。
【発明を実施するための最良の形態】
【００１２】
図２および図３は、本発明の収納ケースＣが収納対象とする単リール型のテープカートリッジＴを示している。図３においてテープカートリッジＴは、平面から見た外郭線がほぼ正方形状のケース本体１と、ケース本体１の内部に配置した１個のテープリール２とを有し、テープリール２に巻き込んだ磁気テープ３を、ケース本体１の前面一側に設けたテープ引出口４からケース外へ引き出して、磁気信号を読み書きできるようにしている。このテープ操作のために、磁気テープ３の繰り出し端に先導ピース５が固定してある。テープ引出口４を開閉するために、左右スライド自在なドア６を設け、図示していないばねで閉じ勝手に移動付勢している。
【００１３】
ケース本体１は、それぞれプラスチック成形された上ケース１ａと下ケース１ｂとを蓋合せ状に結合して構成してあり、上ケース１ａの上壁外面にテープドライブへの装填方向を示す装填表示７を設けている。装填表示７は、上ケース１ａの装填始端側の辺部中央に設けた三角形状の装填指標８と、上ケース１ａの装填終端側の辺部に沿って設けた円丘状の滑り止め部９とからなる。装填指標８は浅い凹みとして形成してあり、滑り止め部９は、円丘状の外形線９ａの範囲内で、装填終端側の辺部と平行に設けた一群の溝９ｂで形成してある。装填指標８の側の辺部の一側には三角形状の段落部１０が設けてあり、この段落部１０もテープカートリッジＴの装填方向を特定することに役立っている。なお、この実施例におけるケース本体１の装填方向の奥行き寸法は１０２mm、左右幅寸法は１０５.4mmである。
【００１４】
上記のテープカートリッジＴを収納保存するための収納ケースＣを、図４に示している。収納ケースＣは、身部１２と蓋部１３とを一体に形成した角箱状のプラスチック成形品からなり、身部１２と蓋部１３とはヒンジ部１４（図６参照）を介して一体に繋がっている。身部１２は、四角形状の底壁１５と、底壁１５の後縁から立ち上がる後壁１６と、底壁１５の前縁および左右側縁に沿ってコ字状に立設される内前壁１７および内側壁１８とからなり、内側壁１８の前よりのそれぞれに蓋部１３を閉止保持するための係合溝１９が通設してある。テープカートリッジＴの出し入れを容易化するために、左右の内側壁１８の上下高さは、後壁１６の高さ寸法に比べて半分以下の高さに設定され、内前壁１７の高さは内側壁１８よりさらに小さく設定する。身部１２の内法寸法は、テープカートリッジＴの奥行き寸法と左右幅寸法より、僅かずつ大きく設定してある。
【００１５】
蓋部１３は、身部１２の後壁１６とヒンジ部１４を介して繋がる上壁２０を有し、上壁２０の前辺部および左右辺部に沿って外前壁２１と外側壁２２とを一体に設ける。外前壁２１は上壁２０の前縁より僅かに凹ませてあり、上壁２０と外前壁２１との間に生じる段部２３に指先を引っ掛けて、蓋部１３を開き操作できるようにしている。左右の外側壁２１の内面前寄りには、先の蓋部１３に設けた係合溝１９と係合する係合突起２４が設けてある。蓋部１３を開き揺動して、身部１２の上面を開放した状態で、テープカートリッジＴを身部１２に対して出し入れできる。
【００１６】
テープカートリッジＴを収納ケースＣへ収納する際に、使用者の注意力を喚起して、テープカートリッジＴを収納ケースＣに対して適正な姿勢で収納できるようにするために、収納ケースＣの上壁２０の外面に、テープカートリッジＴの上ケース１ａに設けた装填表示７と同様のケース表示２７を設ける。詳しくは、上壁２０におけるテープカートリッジＴの装填方向奥端側の辺部中央に、装填指標８と同様の三角形状の第１表示２８を設け、上壁１２における前側辺部に沿って、滑り止め部９と同様の第２表示２９を設ける。
【００１７】
第２表示２９は、円丘状の外形線２９ａの範囲内で、前側辺部と平行に設けた一群の突起２９ｂで形成してある。この第２表示２９以外の上壁２０の表面を利用して、前後非対称形状のスタック凹部３１を設ける。詳しくは、先の外形線２９ａと、左右および後側の辺部で囲まれる領域を凹ませてスタック凹部３１とする。第１表示２８は、このスタック凹部３１に浅い凹みとして形成する。底壁１５には、適正な積み重ね姿勢においてのみ、スタック凹部３１と係合する前後非対称形状のスタック凸部３２を設ける。具体的には、図５に示すように、スタック凹部３１と相似形状で、外形寸法が僅かに小さなスタック凸部３２を、底壁１５に周回するリブとして突設する。なお、第２表示２９は、滑り止め部９とまったく同じパターンである必要はなく、図２に示すように外観上の印象が同じであれば先の突起２９ｂの数は、一群の溝９ｂの数より少なくてもよい。
【００１８】
上記のように、スタック凹部３１とスタック凸部３２のそれぞれを非対称形状に形成すると、収納ケースＣの向きを奥行き方向に反転して積み重ねた場合には、スタック凸部３２をスタック凹部２１にぴったりと係合することができず、その一部が前後いずれかへはみ出るので、収納ケースＣを積み重ねた向きが間違っていることを即座に判断できる。複数の収納ケースＣを適正に積み重ねた状態では、スタック凹部３１とスタック凸部３２とが係合して、隣り合う収納ケースＣどうしが前後および左右方向へずれ動くのを阻止できるので、積み重ねた収納ケースＣがずれ動いて落下することも無く、収納庫への出し入れや運搬時の取り扱いを容易化できる。
【００１９】
上記の実施例では、収納ケースＣを身部１２と蓋部１３とで構成したが、その必要はない。例えば、収納ケースＣを前壁部分が開口するブックケース上に形成することができる。スタック凹部３１を底壁１５に設け、スタック凸部３２を上壁２０に設けることができる。スタック凹部３１とスタック凸部３２は、それぞれ前後非対称形状であればよく、実施例で説明した形状には限られない。
【図面の簡単な説明】
【００２０】
【図１】テープカートリッジと収納ケースの平面図である。
【図２】テープカートリッジと収納ケースの斜視図である。
【図３】テープカートリッジの内部平面図である。
【図４】収納ケースの斜視図である。
【図５】収納ケースの底面図である。
【図６】収納ケース後部の縦断側面図である。
【符号の説明】
【００２１】
１  ケース本体
７  装填表示
８  装填指標
９  滑り止め部
２０  上壁
２７  ケース表示
２８  第１表示
２９  第２表示
【図１】
0004544539.tif 000002
【図２】
0004544539.tif 000003
【図３】
0004544539.tif 000004
【図４】
0004544539.tif 000005
【図５】
0004544539.tif 000006
【図６】
0004544539.tif 000007